(57)【特許請求の範囲】
【請求項１】
巻芯にフィルム等が巻き付けられたロール体の該巻芯を両端から支持梱包して搬送するための段ボール箱に於いて、底板を中心にしてその両側縁に折曲線を介して夫々側板及び蓋板が順に連設され、かつ前記底板の両妻縁に夫々折曲線を介して妻板及び折曲水平片が順に連設され、さらに前記妻板の両端縁に夫々折曲線を介して折曲重合片が連設されて構成されており、箱を平面状に展開することによって箱内に収納したロール体を簡単に取出せることを特徴としたロール体搬送用段ボール箱。
【請求項２】
前記折曲重合片の高さ寸法を前記段ボール箱内の高さ寸法に合わせ、かつ前記底板の軸巾寸法に対する折曲重合片の巾寸法を５分の１と等しいか或いはそれ以上とし、さらに前記折曲水平片及び折曲重合片のコーナー部を円弧状に形成したことを特徴とした請求項１のロール体搬送用段ボール箱。
【発明の詳細な説明】
【０００１】
【発明の属する技術分野】
本発明は、ロール体を梱包して搬送する段ボール箱に係り、特に巻芯に感光性フィルム等が巻き付けられたロール体の該巻芯をコアホルダー等で両端から支持して梱包し、かつ該ロール体を箱内から取り出す際に箱を平面状に展開してから簡単に取り出すことが可能なロール体搬送用段ボール箱に関するものである。
【０００２】
【従来の技術】
従来この種のロール体を収納して搬送する段ボール箱としては、一般的に図５乃至図７（Ｂ）に示すような構造の段ボール箱が使用されていた。
【０００３】
即ち、従来の段ボール箱は、特に図５に示す如く、縦折曲線を有して側板５１、妻板５２、側板５３及び妻板５４を左右方向に順に連設し、かつこれ等の側板５１，５３及び妻板５２，５４の上下縁に夫々蓋板５５、５６と、及び底板５７，５８を連設し、更に前記側板５１の左側端に接合片５９を連設して段ボール箱のブランク板６０を構成していた。
【０００４】
前記ブランク板６０を用いて段ボール箱を組立構成するに当たっては、図６及び図７（Ｂ）に示す如く、前記側板５１に連設された接合片５９を妻板５６に貼着して側板５１，５３及び妻板５２，５４よりなる４角型枠体を形成し、更に底板５７，５８を該枠体の下面に折り曲げて粘着テープ（図示せず）で固定することによって段ボール箱を構成していた。
【０００５】
このように構成した段ボール箱内に、図７（Ａ）に示す如き巻芯６１に感光性フィルム６２等が巻き取られたロール体６３を収納して梱包するに当たっては、図７（Ｂ）に示す如く、ロール体６３の巻芯６１の両端部にコアホルダー６４を取付けて支持し、これ等のコアホルダー６４とロール体６３とを箱内に一体的に収納し、更に蓋板５５，５６を箱の開口部に折り曲げると共に、これ等の接合部に粘着テープ（図示せず）を粘着し、或いは接着剤、ホチキス等で固定することによって、梱包していた。
【０００６】
【発明が解決しようとする課題】
然るに、前述の従来の段ボール箱に於いては、蓋板５５，５６を開いた際にも枠体はそのままの状態で起立維持されるので、ロール体６３の両端部に設けられたコアホルダー６４が段ボール箱の内周面に密接されており、ロール体６３を段ボール箱から取り出す際に、前記コアホルダー６４と段ボール箱の起立内周との間に指を挿入してコアホルダー６４を手で保持することが困難である問題があった。
【０００７】
また、この問題を解決するために、前記ロール体６３の軸長よりも内径寸法が大きな段ボール箱を使用し、コアホルダー６４と段ボール箱の内周との間に指を挿入することが可能な隙間を形成し、この隙間にスペーサ６５を充填し、これによってロール体６３を運搬或いは保管中に生じる振動、衝撃を吸収することが出来るように構成した技術も知られている。
【０００８】
然るに、後者のスペーサ６５を使用する技術に於いては、ロール体６３の軸長よりも大きな寸法を持った段ボール箱をわざわざ使用しなければならず、かつ段ボール箱の他にスペーサ６５を必要とするので、極めて不経済である問題があった。更に、段ボール箱からロール体６３を取り出す前に、スペーサ６５を箱内から除去しなければならず、作業が煩雑で効率が悪い等の問題があった。
【０００９】
本発明に係るロール体搬送用段ボール箱は前述の従来の多くの問題点に鑑み開発された全く新しい技術であって、特に底板を中心とした周りに折曲線を介して側板、妻板、蓋板、折曲水平片及び折曲重合片等を順に連設し、これ等を組立てることによって、従来の如き接合片及び接着剤等を使用せずに１個の粘着テープのみによって箱を組立梱包することが出来、かつ前記粘着テープを除去することによって箱を簡単に平面状に展開して箱内に収納したロール体を取り出すことが出来るようにした全く新しい技術を提供するものである。
【００１０】
【課題を解決するための手段】
本発明に係るロール体搬送用段ボール箱は、前述の従来の問題点を根本的に改善した発明であって、その第１発明の要旨は、巻芯にフィルム等が巻き付けられたロール体の該巻芯を両端から支持梱包して搬送するための段ボール箱に於いて、底板を中心にしてその両側縁に折曲線を介して夫々側板及び蓋板が順に連設され、かつ前記底板の両妻縁に夫々折曲線を介して妻板及び折曲水平片が順に連設され、さらに前記妻板の両端縁に夫々折曲線を介して折曲重合片が連設されて構成されており、箱を平面状に展開することによって箱内に収納したロール体を簡単に取出せることを特徴としたロール体搬送用段ボール箱である。
【００１１】
前記第１発明に於いては、底板を中心にしてその周りに折曲線を介して側板、妻板、蓋板、折曲水平片及び折曲重合片等を順に連設したので、底板を中心にして側板及び妻板を起立し、かつ妻板の両端縁に夫々連設された折曲重合片を側板の内面に当接することによって、簡単に解体し得る箱を形成することが出来る。
【００１２】
箱内に収納されるロール体は、その両端部にコアホルダーを取付けたままで、予め底板上に載置した状態で前述の箱を組立てることが出来る。このように構成された箱は、上部開口部に左右の折曲水平片を倒し、かつこれ等の折曲水平片上に蓋板を倒して箱を密封し、左右の蓋の接合部に粘着テープを粘着することによって箱を梱包することが出来る。
【００１３】
従って、前記箱内からロール体を取り出す場合には、左右の蓋の接合部に取付けられた粘着テープを除去することによって、箱全体を平面状に展開して、底板上のロール体を簡単に取り出すことが出来る。
【００１４】
本発明に係る段ボール箱の第２発明の要旨は、前記折曲重合片の高さ寸法を前記段ボール箱内の高さ寸法に合わせ、かつ前記底板の軸巾寸法に対する折曲重合片の寸法を５分の１と等しいか或いはそれ以上とし、さらに前記折曲水平片及び折曲重合片のコーナー部を円弧状に形成したことを特徴とした第１発明のロール体搬送用段ボール箱である。
【００１５】
前述の第２発明に於いては、前記折曲重合片の高さ寸法を前記段ボール箱内の高さ寸法としたので、側板内面に当接された左右の折曲重合片の上下縁が底板及び蓋板に密接され、これによって妻板を支持して該妻板が倒れることを防止し、収納したロール体の箱内におけるガタツキを防止することが出来る。
【００１６】
前記底板の軸巾に対する折曲重合片の巾寸法を５分の１と等しいか或いはそれ以上としたので、該折曲重合片の上下縁を夫々比較的長く底板及び蓋板に当接することが出来、これによって妻板を安定して支持することが出来る。
【００１７】
前記折曲水平片及び折曲重合片のコーナー部を円弧状にすることによって、箱の組立及び解体をスムーズにし、かつ作業時の安全性を確保することが出来る。
【００１８】
【発明の実施の形態】
図により本発明に係るロール体搬送用段ボール箱の一実施例を具体的に説明すると、図１は本発明に係る段ボール箱のブランク板を示す展開平面図、図２は図１のブランク板を組立てる途中の斜視説明図、図３は本発明の組立箱の斜視図、図４はロール体をコアホルダーによって保持した状態の平面図である。
【００１９】
図１に於いて、１は本発明の段ボール箱のブランク板であって、底板２を中心にしてその両側縁には折曲線を介して夫々側板３及び蓋板４が順に連設されている。かつ底板２の両妻縁には夫々折曲線を介して妻板５及び折曲水平片６が順に連設されている。
【００２０】
さらに、前記妻板５の両端縁には夫々折曲線を介して折曲重合片７が連設されている。この折曲重合片７の高さ寸法ａは前記側板３の高さ寸法ｂに合わせて形成されている。また、該折曲重合片７の巾寸法ｃは底板２の軸巾寸法ｄの５分の１と等しいか或いはそれ以上の寸法、好ましくは４分の１と等しいか或いはそれ以上の寸法に形成されている。
【００２１】
さらに、前記折曲重合片７のコーナー部は夫々円弧状に形成されている。また、前記折曲水平片６の巾寸法ｅは箱を組立てて前記折曲重合片を側板３の内面に当接した際に、左右の折曲重合片７間に形成される間隙寸法に合わせて形成されている。
【００２２】
前述の構成を有する本発明の段ボール箱のブランク板１は、図２及び図３に示すように組立てられて箱を構成することが出来る。箱内に収納されるロール体８は、図４に示す如く、既に従来技術に於いても説明したように、巻芯（コア）９に感光性フィルム１０が巻付けられて構成されている。このロール体８には黒チューブ１１及び白チューブ１２が夫々巻き付けられて光及び湿気等を遮断して包装されている。かつ巻芯９の両端部には夫々コアホルダー１３が取付けられている。
【００２３】
前述のロール体８を箱により梱包する場合には、例えばロール体８を底板２上に載置し、その周りに側板３及び妻板５を垂直に起立し、４枚の折曲重合片７を夫々前記側板３の内面に当接し、２枚の折曲水平片６を箱内上部に倒し、２枚の蓋板４を折曲水平板６上に倒し、両方の蓋板４の接合部とその両側の妻板５の上部とに粘着テープ１４を粘着することによってロール体８を箱で梱包することが出来る。
【００２４】
前述のように、折曲重合片７の高さ寸法ａを側板３の高さ寸法ｂに合わせた場合には、折曲重合片７の上下縁が夫々箱の蓋板４及び底板２に当接されて密着されるので、これによって妻板５を両側から強く支持し、起立された妻板５が倒れることを防止出来る。
【００２５】
同様に、折曲重合片７の巾寸法ｃを底板２の軸巾寸法ｄの５分の１と等しいか或いはそれ以上の寸法とした場合には、折曲重合片７の上下縁を底板２及び蓋板４に対して比較的長い距離に亘って密接させることが出来、これによって妻板５を安定して支持することが出来る。
【００２６】
また、折曲水平片６及び折曲重合片７のコーナー部を夫々円弧状に湾曲させて形成した場合には、箱の組立及び解体をスムーズにし、作業時の安全性を確保することが出来る。
【００２７】
更に、前述のように、折曲水平片６の巾寸法ｅを、組立てられた箱の内面に起立される２枚の折曲重合片７間の間隙寸法に合わせて形成した場合には、この折曲水平片６の両端縁で両方の折曲重合片７を支持し、これ等の折曲重合片７が箱の内側にズレることを防止し、箱全体を安定させることが出来る。
【００２８】
【発明の効果】
本発明に係るロール体搬送用段ボール箱は、前述の構成と作用とを有するので、従来のこの種の箱のように、ロール体の軸長よりも大きな箱内寸法を持った箱を必要とせず、かつスペーサも必ずしも必要としないので、経済的であると共に、梱包及びロール体の取り出し時の作業を極めて容易にすることが出来る。
【００２９】
また、本発明に於いては、従来のこの種の段ボール箱のように枠体を組立固定するための接合片を全く必要とせず、かつ接合片を固定するための接着剤、ホチキス等を不要とすることが出来る。
【００３０】
ロール体を梱包するに当たっては、予め底板上にロール体を載置し、その周りに側板、妻板等を起立し、蓋板を被蓋することによって簡単に組立てることが出来る。そして被蓋された蓋板の接合部に粘着テープを粘着することのみによって、段ボール箱を完全な状態で梱包することが出来る。
【００３１】
このように梱包された段ボール箱は、蓋部に粘着された粘着テープを除去することによって、箱全体を偏平状に解体し、解体された箱内からロール体を簡単に取り出すことが出来る。
【００３２】
更に、前述のように折曲水平片の巾寸法或いは折曲重合片の高さ寸法または巾寸法等を所定の寸法に規定した場合には、段ボール箱をより安定した状態で強固に構成することが出来、これによって箱内に収納したロール体をより安全に保管或いは搬送することが出来る。
【図面の簡単な説明】
【図１】本発明に係る段ボール箱のブランク板を示す展開平面図である。
【図２】図１のブランク板を組立てる途中の斜視説明図である。
【図３】本発明の組立箱の斜視図である。
【図４】ロール体をコアホルダーによって保持した状態の平面図である。
【図５】従来の段ボール箱のブランク板の平面図である。
【図６】図５のブランク板を組立状態の段ボール箱の斜視説明図である。
【図７】図７（Ａ）はロール体の斜視説明図である。図７（Ｂ）は図６の段ボール内にロール体を収納した常態の斜視説明図である。
【符号の説明】
１              ブランク板
２              底板
３              側板
４              蓋板
５              妻板
６              折曲水平片
７              折曲重合片
８              ロール体
９              巻芯
１０            感光性フィルム
１１            黒チューブ
１２            白チューブ
１３            コアホルダー
１４            粘着テープ
ａ              折曲重合片の高さ寸法
ｂ              側板３の高さ寸法
ｃ              折曲重合片７の巾寸法
ｄ              底板２の軸巾寸法
ｅ              折曲水平片６の巾寸法
５１，５３      側板
５２，５４      妻板
５５，５６      蓋板
５７，５８      底板
５９            接合片
６０            ブランク板
６１            巻芯
６２            感光性フィルム
６３            ロール体
６４            コアホルダー
６５            スペーサ
【図１】
0004243896.tif 000002
【図２】
0004243896.tif 000003
【図３】
0004243896.tif 000004
【図４】
0004243896.tif 000005
【図５】
0004243896.tif 000006
【図６】
0004243896.tif 000007
【図７】
0004243896.tif 000008